(57)【要約】【課題】レシート発行装置（情報出力装置）を共有して使用する場合において、レシート（出力情報）の取り違えを防ぐことに寄与する情報出力制御システムを提供すること。【解決手段】実施形態に係る情報処理制御システムは、識別情報読み取り装置と、情報処理装置と、情報出力装置とを備える。前記識別情報読み取り装置は、第１の識別情報を読み取り前記第１の識別情報を送信し、また、第２の識別情報を読み取り前記第２の識別情報を送信する。前記情報処理装置は、前記識別情報読み取り装置からの前記第１の識別情報を受信し、前記識別情報読み取り装置からの前記第２の識別情報を受信し、前記第２の識別情報に対応付けられた第１の情報出力装置を選択し、前記第１の識別情報に基づく出力情報を前記第１の情報出力装置へ送信する。前記情報出力装置は、前記情報処理装置からの前記出力情報を受信し、前記出力情報を出力する。【選択図】図４Ａ
2020126682.tif 000002
【特許請求の範囲】
【請求項１】
第１の識別情報を読み取り前記第１の識別情報を送信し、また、第２の識別情報を読み取り前記第２の識別情報を送信する識別情報読み取り装置と、
前記識別情報読み取り装置からの前記第１の識別情報を受信し、前記識別情報読み取り装置からの前記第２の識別情報を受信し、前記第２の識別情報に対応付けられた第１の情報出力装置を選択し、前記第１の識別情報に基づく出力情報を前記第１の情報出力装置へ送信する情報処理装置と、
前記情報処理装置からの前記出力情報を受信し、前記出力情報を出力する前記第１の情報出力装置と、
を備える情報出力制御システム。
【請求項２】
前記識別情報読み取り装置は、バーコードスキャナであり、商品を識別するための第１のバーコードから前記第１の識別情報を読み取り、前記第１の識別情報を無線通信により前記情報処理装置へ送信し、また、前記第１の情報出力装置を識別するための第２のバーコードから前記第２の識別情報を読み取り、前記第２の識別情報を無線通信により前記情報処理装置へ送信する請求項１の情報出力制御システム。
【請求項３】
前記情報処理装置は、前記第１の識別情報に対応付けられた商品情報に基づく精算処理を実行し、前記精算処理に基づくレシート発行情報を無線通信により前記第１の情報出力装置へ送信し、
前記第１の情報出力装置は、レシート発行装置であり、前記レシート発行情報に基づきレシートを発行する請求項１又は２の情報出力制御システム。
【請求項４】
さらに、第３の識別情報に対応付けられた第２の情報出力装置を備え、
前記識別情報読み取り装置は、前記第１の識別情報を読み取り前記第１の識別情報を送信し、前記第３の識別情報を読み取り前記第３の識別情報を送信し、
前記情報処理装置は、前記識別情報読み取り装置からの前記第１の識別情報を受信し、前記識別情報読み取り装置からの前記第３の識別情報を受信し、前記第３の識別情報に対応付けられた前記第２の情報出力装置を選択し、前記第１の識別情報に基づく前記出力情報を前記第２の情報出力装置へ送信し、
前記第２の情報出力装置は、前記情報処理装置からの前記出力情報を受信し、前記出力情報を出力する請求項１乃至３の何れか一つの情報出力制御システム。
【請求項５】
識別情報読み取り装置により読み取られた第１の識別情報を受信し、前記識別情報読み取り装置により読み取られた第２の識別情報を受信する受信手段と、
前記第２の識別情報に対応付けられた情報出力装置を選択する選択手段と、
前記第１の識別情報に基づく出力情報を前記情報出力装置へ送信する送信手段と、
を備える情報出力制御装置。
【発明の詳細な説明】
【技術分野】
【０００１】
本発明の実施形態は、情報出力制御装置及び情報出力制御システムに関する。
【背景技術】
【０００２】
近年、各種の物品やサービスを提供する店舗では、ＰＯＳ（Ｐｏｉｎｔ  Ｏｆ  Ｓａｌｅｓ）システムが普及している。例えば、ＰＯＳシステムは、ＰＯＳ端末と複数の周辺機器を備え、ＰＯＳ端末と複数の周辺機器とは有線又は無線で接続される。これら複数の周辺機器としては、例えばバーコードスキャナ、レシート発行装置などがある。
【０００３】
ＰＯＳシステムでは、ＰＯＳ端末（ホスト装置）とレシート発行装置（記録装置）とが通信を行ってレシート発行装置によりレシートが発行される。
【先行技術文献】
【特許文献】
【０００４】
【特許文献１】特開２０１４−８５９０４号公報
【発明の概要】
【発明が解決しようとする課題】
【０００５】
複数のＰＯＳ端末が１又は複数のレシート発行装置を共有して使用し、かつレシート発行装置がＰＯＳ端末から離れた位置に設置されている場合を想定する。この場合、複数のＰＯＳ端末からほぼ同時にレシート発行を実施すると、１台のレシート発行装置から複数のレシートが発行されるため、目的のレシートを判別しにくく、誤って別のレシートを取ってしまう場合がある。
【０００６】
そこで、本発明では、レシート発行装置（情報出力装置）を共有して使用する場合において、レシート（出力情報）の取り違えを防ぐことに寄与する情報出力制御装置及び情報出力制御システムを提供することにある。
【課題を解決するための手段】
【０００７】
実施形態に係る情報処理制御システムは、識別情報読み取り装置と、情報処理装置と、情報出力装置とを備える。前記識別情報読み取り装置は、第１の識別情報を読み取り前記第１の識別情報を送信し、また、第２の識別情報を読み取り前記第２の識別情報を送信する。前記情報処理装置は、前記識別情報読み取り装置からの前記第１の識別情報を受信し、前記識別情報読み取り装置からの前記第２の識別情報を受信し、前記第２の識別情報に対応付けられた第１の情報出力装置を選択し、前記第１の識別情報に基づく出力情報を前記第１の情報出力装置へ送信する。前記情報出力装置は、前記情報処理装置からの前記出力情報を受信し、前記出力情報を出力する。
【図面の簡単な説明】
【０００８】
【図１】一実施形態の制御システムの構成の一例を示す図である。
【図２】ＰＯＳ端末、識別情報読み取り装置、及びレシート発行装置の機能構成の一例を示すブロック図である。
【図３Ａ】実施形態に係る店舗内の装置配置の一例である。
【図３Ｂ】実施形態に係る店舗内の装置配置の変形例である。
【図４Ａ】実施形態においてレシート発行を行う動作の一例を説明するためのフローチャートである。
【図４Ｂ】実施形態において読取装置とＰＯＳ端末の紐付け処理の一例を説明するためのフローチャートである。
【図５Ａ】ＰＯＳ端末、及びレシート発行装置の対応付けの一例を示す図である。
【図５Ｂ】読取装置、ＰＯＳ端末、及びレシート発行装置の対応付けの一例を示す図である。
【発明を実施するための形態】
【０００９】
以下、実施の形態を、図面を用いて説明する。
【００１０】
以下、一実施形態について、図面を用いて説明する。本実施形態に係る制御システム１００（情報出力制御システム）の構成例を図１に示す。
【００１１】
例えば、制御システム１００は、情報処理装置としての複数台のＰＯＳ端末１１０（１１０ａ、１１０ｂ、１１０ｃ…）と、複数台の識別情報読み取り装置１２０（１２０ａ、１２０ｂ、１２０ｃ…）と、情報出力装置としての複数台のレシート発行装置１３０（１３０ａ、１３０ｂ、１３０ｃ…）で構成される。例えば、一台のＰＯＳ端末１１０ａと一台の識別情報読み取り装置１２０ａ、及び一台のＰＯＳ端末１００ａと一台のレシート発行装置１３０ａが無線接続されている。なお、各装置が有線接続されている場合、又は一部の装置間が有線接続されている場合であっても、以下説明する情報出力制御を適用することは可能である。
【００１２】
一台の識別情報読み取り装置１２０ａは予め対応付けられた一台のＰＯＳ端末１１０ａ又は識別情報の読み取りにより選択された一台のＰＯＳ端末１１０ａと無線通信し、一台のＰＯＳ端末１１０ａは識別情報の読み取りにより選択された一台のレシート発行装置１３０ａと無線通信可能な構成となっている。識別情報の読み取りによる一台のＰＯＳ端末１１０ａの選択方法、及び識別情報の読み取りによる一台のレシート発行装置１３０ａの選択の方法については後に詳しく説明する。
【００１３】
識別情報読み取り装置１２０は、レシート発行装置１３０を識別するために用いられる識別情報記録媒体１４０（１４０ａ、１４０ｂ、…）、及び商品等を識別するために用いられる識別情報記録媒体１５０（１５０ａ、１５０ｂ、…）を読み取り可能に構成されている。また、後述するＰＯＳ端末１１０を識別するために用いられる識別情報記録媒体１６０を読み取り可能に構成されている。
【００１４】
識別情報記録媒体１４０ａは固有の識別情報１ａを含み、同様に、識別情報記録媒体１５０ａは固有の識別情報２ａを含み、同様に、識別情報記録媒体１６０ａは固有の識別情報３ａを含む。識別情報記録媒体１４０は、各レシート発行装置１３０を識別するため、各レシート発行装置１３０に対応して用意される。例えば、レシート発行装置１３０ａには識別情報記録媒体１４０ａが貼り付けられ、ＰＯＳ端末１１０ａには識別情報記録媒体１６０ａが貼り付けられる。識別情報記録媒体１５０は、各商品を識別するため、各商品に対応して用意される。例えば、商品Ａには識別情報記録媒体１５０ａが貼り付けられ、商品Ｂには識別情報記録媒体１５０ｂが貼り付けられる。
【００１５】
例えば、識別情報読み取り装置１２０は、識別情報記録媒体１４０ａから識別情報１ａを読み取り、予め対応付けられたＰＯＳ端末１１０ａ又は識別情報の読み取りにより選択されたＰＯＳ端末１１０ａへ識別情報１ａを送信する。また、識別情報読み取り装置１２０は、識別情報記録媒体１５０ａから識別情報２ａを読み取り、予め対応付けられたＰＯＳ端末１１０ａ又は識別情報の読み取りにより選択されたＰＯＳ端末１１０ａへ識別情報２ａを送信する。
【００１６】
なお、本実施形態では、複数台のＰＯＳ端末１１０、複数台の識別情報読み取り装置１２０、及び複数台のレシート発行装置１３０で構成される制御システム１００を中心に説明するが、制御システム１００は、１台のＰＯＳ端末１１０、１台の識別情報読み取り装置１２０、１台のレシート発行装置１３０で構成してもよい。
【００１７】
なお、本実施形態の制御システム１００における各種装置が直接無線通信を行っても良いし、アクセスポイントを介して間接的に無線通信を行っても良い。無線通信としては、無線ＬＡＮやＢｌｕｅｔｏｏｔｈ（登録商標）、ＺｉｇＢｅｅ（登録商標）などが想定される。
【００１８】
本実施形態の制御システム１００は、スーパーマーケットやコンビニエンスストア、レストランなどの店舗に適用可能で、会計処理などを実施するＰＯＳシステムの一部として構成可能であり、識別情報読み取り装置１２０は携帯可能なバーコードスキャナやＲＦＩＤ（Ｒａｄｉｏ Ｆｒｅｑｕｅｎｃｙ Ｉｄｅｎｔｉｆｉｃａｔｉｏｎ）リーダーが想定され、識別情報記録媒体１４０及び１５０はバーコードやＲＦＩＤタグが想定される。
【００１９】
図２にＰＯＳ端末１１０、識別情報読み取り装置１２０、及びレシート発行装置１３０の機能構成を示すブロック図の一例を示す。ＰＯＳ端末１１０は、通信部２１２と、記憶部２１４と、識別情報比較部２１５と、入力部２１６と、表示部２１７と、これらを制御する制御部２１１とで構成される。
【００２０】
通信部２１２は各種機器との通信を行う機能ブロックであり、識別情報読み取り装置１２０やレシート発行装置１３０と無線通信するＰＯＳ端末無線通信部２１３を含む。
【００２１】
記憶部２１４は、識別情報と商品の価格やレシート発行装置１３０を紐付けた識別情報テーブルＴ１を記憶する。例えば、図５Ａに示すように、識別情報テーブルＴ１は、識別情報１ａとレシート発行装置１３０ａの機器ＩＤ、識別情報１ｂとレシート発行装置１３０ｂの機器ＩＤ、識別情報２ａと商品Ａに関する情報（商品の価格、名称等）、及び識別情報２ｂと商品Ｂに関する情報（商品の価格、名称等）とを対応付ける情報を含む。
【００２２】
識別情報比較部２１５は、記憶部２１４に記憶された識別情報テーブルＴ１を参照して識別情報を比較し、比較結果を制御部へ出力する。例えば、識別情報比較部２１５は、識別情報１ａに基づきレシート発行装置１３０ａの機器ＩＤを選択し、レシート発行装置１３０ａの機器ＩＤを制御部へ出力する。なお、識別情報テーブルＴ１を外部サーバが記憶し、ＰＯＳ端末１１０は、外部サーバへ識別情報（例えば識別情報１ａ）を送信し、送信した識別情報に対応付けられた情報（例えばレシート発行装置１３０ａの機器ＩＤ）を受信するようにしてもよい。
【００２３】
入力部２１６としてはキーボードや各種スイッチなどが想定され、入力部２１６は、入力された情報を制御部２１１へ出力する。表示部２１７としては液晶パネルなどが想定され、制御部２１１から入力された情報を表示する。なお、入力部２１６及び表示部２１７は、ＰＯＳ端末１１０の構成に含まず、通信部２１２を介して、外部の入力機器及び出力機器を利用しても良い。
【００２４】
識別情報読み取り装置１２０は、読み取り装置制御部２２１と、識別情報読み取り部２２２と、読み取り装置無線通信部２２３とで構成される。識別情報読み取り部２２２は、識別情報を読み取る機能ブロックであり、読み取った識別情報を読み取り装置制御部２２１に出力する。読み取り装置制御部２２１は、識別情報読み取り部２２２から入力された識別情報を読み取り装置無線通信部２２３へ出力し、読み取り装置無線通信部２２３は、入力された識別情報をＰＯＳ端末無線通信部２１３に送信する。
【００２５】
レシート発行装置１３０は、発行装置制御部２３１と、レシート発行部２３２と、発行装置無線通信部２３３とで構成される。発行装置無線通信部２３３は、ＰＯＳ端末無線通信部２１３から送信された情報を受信し、発行装置制御部２３１に出力する。発行装置制御部２３１は、発行装置無線通信部２３３から入力された情報がレシート情報であれば、レシート発行部２３２に出力し、レシート発行部２３２は入力された情報に基づきレシートを発行する。
【００２６】
次に、店員が買い物客の購入する商品の会計処理を行う場合を例に、レシート発行の基本動作の一例について説明する。なお、図３Ａに示すように、識別情報読み取り装置１２０（１２０ａ、１２０ｂ、１２０ｃ…）をバーコードスキャナ３０２（３０２ａ、３０２ｂ、３０２ｃ…）とし、レシート発行装置１３０（１３０ａ、１３０ｂ、１３０ｃ…）をレシートプリンタ３０３（３０２ａ、３０３ｂ、３０３ｃ…）とし、識別情報記録媒体１４０（１４０ａ、１４０ｂ、１４０ｃ…）をバーコード３０４（３０４ａ、３０４ｂ、３０４ｃ…）として説明する。図３Ａは店舗内の装置配置を示す概略レイアウトの一例を示す図である。レジ設置場所Ｐ１００ａにレジカウンター３０１ａが設置され、レジカウンター３０１ａにはＰＯＳ端末１１０ａとＰＯＳ端末１１０ａと無線通信可能なバーコードスキャナ３０２ａが設置されている。同様にレジ設置場所Ｐ１００ｂにはレジカウンター３０１ｂとＰＯＳ端末１１０ｂ及びバーコードスキャナ３０２ｂが、レジ設置場所Ｐ１００ｃにはレジカウンター３０１ｃとＰＯＳ端末１１０ｃ及びバーコードスキャナ３０２ｃが設置されている。また、バーコードスキャナ３０２ａとＰＯＳ端末１１０ａとは事前相互認証等により対応付けられ、バーコードスキャナ３０２ａはＰＯＳ端末１１０ａと無線通信するように設定されている。バーコードスキャナ３０２ｂとＰＯＳ端末１１０ｂ、及びバーコードスキャナ３０２ｃとＰＯＳ端末１１０ｃについても同様である。
【００２７】
プリンタ設置場所Ｐ２００には、レシートプリンタ３０３ａ、３０３ｂが設置され、レシートプリンタ３０３ａと紐付けられた識別情報１ａに対応したバーコード３０４ａがレシートプリンタ３０３ａに貼り付けられ、レシートプリンタ３０３ｂと紐付けられた識別情報１ｂに対応したバーコード３０４ｂがレシートプリンタ３０３ｂ貼り付けられている。なお、バーコード３０４ａをレシートプリンタ３０３ａに直接貼り付けなくても、バーコード３０４ａとレシートプリンタ３０３ａとが対応していることが分かるように、バーコード３０４ａを配置してもよい。同様に、バーコード３０４ｂを配置してもよい。レシートプリンタ３０３ａと識別情報１ａとの紐付けは各ＰＯＳ端末１１０（１１０ａ、１１０ｂ、…）の記憶部２１４に記憶されている（図５Ａの識別情報テーブルＴ１参照）。同様に、レシートプリンタ３０３ｂと識別情報１ｂとの紐付けも各ＰＯＳ端末１１０の記憶部２１４に記憶されている（図５Ａの識別情報テーブルＴ１参照）。
【００２８】
例えば、レジ設置場所Ｐ１００とプリンタ設置場所Ｐ２００は５〜１０ｍ程度離れているものとする。ここで、店員Ａがレジ設置場所Ｐ１００ａで会計処理を行うものとして説明する。
【００２９】
図４Ａは、ＰＯＳ端末１１０とレシートプリンタ３０３とバーコードスキャナ３０２の動作（情報出力制御）の一例を示すフローチャートである。店員ＡがＰＯＳ端末１１０ａを使用し、買い物客が購入する商品の商品登録を行う（ＡＣＴ４１０Ａ）。例えば、店員Ａはバーコードスキャナ３０２ａにより商品Ａに貼り付けられた識別情報記録媒体１５０（バーコード）を読み取る。識別情報読み取り部２２２は、商品Ａに貼り付けられた識別情報記録媒体１５０（バーコード）からバーコード情報（識別情報２ａ）を読み取り、読み取り装置無線通信部２２３は、識別情報２ａをＰＯＳ端末１１０ａへ送信する。ＰＯＳ端末１１０ａ（ＰＯＳ端末無線通信部２１３）は、識別情報２ａを受信し、記憶部２１４は、識別情報２ａを記憶する。識別情報比較部２１５は、記憶部２１４に記憶された識別情報テーブルＴ１と受信した識別情報２ａとを比較し、受信した識別情報２ａに対応する商品Ａに関する情報（価格、商品名等）を導出し、商品Ａに関する情報を登録する。または、店員Ａが、商品Ａに関する情報の登録として、ＰＯＳ端末１１０ａの入力部２１６から商品Ａの商品価格を入力してもよい。
【００３０】
全ての商品の商品登録が完了すると、店員Ａは合計金額を買い物客に伝え、金銭を受け取り、ＰＯＳ端末１１０ａの入力部２１６に受け取った金額を入力する（ＡＣＴ４２０Ａ）。次に、店員Ａはバーコードスキャナ３０２ａを携帯し、レジ設置場所Ｐ１００ａからプリンタ設置場所Ｐ２００に移動する。そして、使用するレシートプリンタ３０３に貼り付けられた識別情報記録媒体１４０（バーコード）をバーコードスキャナ３０２ａで読み取る（ＡＣＴ４３０Ａ）。ここでは、レシートプリンタ３０３ａを使用すると想定し、バーコードスキャナ３０２ａの識別情報読み取り部２２２は、レシートプリンタ３０３ａに貼り付けられたバーコード３０４ａからバーコード情報（識別情報１ａ）を読み取り、読み取り装置無線通信部２２３は、バーコード情報（識別情報１ａ）をＰＯＳ端末１１０ａへ送信する（ＡＣＴ４４０Ａ）。
【００３１】
ＰＯＳ端末無線通信部２１３は、バーコード情報（識別情報１ａ）を受信し（ＡＣＴ４５０Ａ）、使用するレシートプリンタの判別を行う（ＡＣＴ４６０Ａ）。即ち、識別情報比較部２１５が、記憶部２１４に記憶された識別情報テーブルＴ１を参照し、受信したバーコード情報からレシートプリンタを導出（選択）する。バーコード情報は、バーコード３０４ａのバーコード情報（識別情報１ａ）であるため、レシートプリンタ３０３ａが導出（選択）される。ＰＯＳ端末１１０ａは、レシート印字情報（出力情報）をレシートプリンタ３０３ａに送信する（ＡＣＴ４７０Ａ）。
【００３２】
レシートプリンタ３０３ａの発行装置無線通信部２３３は、送信されたレシート印字情報を受信する（ＡＣＴ４８０Ａ）。レシートプリンタ３０３ａの発行装置制御部２３１は、受信したレシート印字情報をレシート発行部２３２に出力し、レシート発行部２３２はレシート発行を実施する（ＡＣＴ４９０Ａ）。その後、発行されたレシートは店員Ａから買い物客に渡される。
【００３３】
次に、例えば、店員ＡがＰＯＳ端末１１０ａで、店員ＢがＰＯＳ端末１１０ｂで、店員ＣがＰＯＳ端末１１０ｃでほぼ同時に入金処理（ＡＣＴ４２０Ａ）が完了し、プリンタ設置場所Ｐ２００に、店員Ａ、店員Ｂ、店員Ｃの順に移動し、最初に到着した店員Ａがバーコードスキャナ３０２ａでバーコード３０４ａを読んだ場合を想定する。店員Ａの次にプリンタ設置場所Ｐ２００に移動してきた店員Ｂは、店員Ａの使用していないレシートプリンタ３０３ｂに貼り付けられたバーコード３０４ｂをバーコードスキャナ３０２ｂで読み取る。次にプリンタ設置場所Ｐ２００に移動してきた店員Ｃは、店員Ａまたは店員Ｂが発行されたレシートを取るのを待ち、先に完了したレシートプリンタ３０３ａ又は３０３ｂのバーコード３０４ａ又は３０４ｂを読み取り、レシートを発行させる。これにより、入金処理がほぼ同時に完了した場合でも、１台のレシートプリンタ３０３から複数のレシートが発行されることがなくなり、また、使用状況を確認し、その場で選択したレシートプリンタ３０３ａ又は３０３ｂからレシートを発行させることができる。
【００３４】
以上詳細に述べたように、この実施形態によれば、ＰＯＳ端末１１０から離れた位置に１台又は複数台のレシートプリンタが設置され、かつ１台又は複数台のレシートプリンタを共有で使用する場合においても、１台又は複数台のレシートプリンタから順にレシートが発行されるが、ＰＯＳ端末の操作者である店員の前でレシートが発行されるため、レシートの取り違えを防ぐことができる。
【００３５】
上記説明では、事前にバーコードスキャナ３０２ａとＰＯＳ端末１１０ａとが一対一で対応付けられているケースについて説明したが、任意のバーコードスキャナとＰＯＳ端末を対応付けることもできる。例えば、図３Ｂに示すように、複数台のＰＯＳ端末１１０と複数台の複数台のバーコードスキャナ３０２（３０２ａ、３０２ｂ、３０２ｃ、３０２ｄ、３０２ｅ、３０２ｆ）を想定し、且つバーコードスキャナ３０２の台数が、ＰＯＳ端末１１０の台数より多いケースを想定する。
【００３６】
例えば、図４Ｂに示すように、次に、店員Ａはバーコードスキャナ３０２ａを携帯し、使用するＰＯＳ端末１１０に貼り付けられたバーコード３０５をバーコードスキャナ３０２ａで読み取る（ＡＣＴ４１０Ｂ）。ここでは、ＰＯＳ端末１１０ａを使用すると想定し、バーコードスキャナ３０２ａの識別情報読み取り部２２２は、ＰＯＳ端末１１０ａに貼り付けられたバーコード３０５ａからバーコード情報（識別情報３ａ）を読み取り、読み取り装置無線通信部２２３は、バーコード情報（識別情報３ａ）及びバーコードスキャナ３０２ａの機器ＩＤを各ＰＯＳ端末１１０（１１０ａ、１１０ｂ、…）へ送信する（ＡＣＴ４２０Ｂ）。
【００３７】
各ＰＯＳ端末１１０のＰＯＳ端末無線通信部２１３は、バーコード情報（識別情報３ａ）及びバーコードスキャナ３０２ａの機器ＩＤを受信し（ＡＣＴ４３０Ｂ）、各ＰＯＳ端末１１０が、ＰＯＳ端末とバーコードスキャナ３０２ａの対応付けを判別する（ＡＣＴ４４０Ｂ）。即ち、各ＰＯＳ端末１１０の識別情報比較部２１５が、記憶部２１４に記憶された識別情報テーブルＴ２を参照し、受信したバーコード情報（識別情報３ａ）及びバーコードスキャナ３０２ａの機器ＩＤから、バーコードスキャナ３０２ａと識別情報３ａに対応するＰＯＳ端末１１０ａとを対応付ける。これにより、ＰＯＳ端末１１０ａとバーコードスキャナ３０２ａとの通信が確立され、バーコードスキャナ３０２ａからの情報はＰＯＳ端末１１０ａへ送信される。
【００３８】
ＰＯＳ端末１１０ａとバーコードスキャナ３０２ａとが対応付けられた後は、図４Ａと同様に、情報出力制御を実行することができる。また、ＰＯＳ端末１１０ａは、レシート印字情報を送信した後、バーコードスキャナ３０２ａとＰＯＳ端末１１０ａの対応付けを解除する。或いは、レシートが発行され、ＰＯＳ端末１１０ａが、レシートプリンタからのレシート発行済み情報を受信すると、バーコードスキャナ３０２ａとＰＯＳ端末１１０ａの対応付けを解除する。
【００３９】
例えば、多数の店員がいる場合に、各店員にバーコードスキャナを配布し効率化を図るとともに、ＰＯＳ端末の台数及びレシートプリンタの台数をバーコードスキャナの台数より少なくすることによりシステム設置コストの低減を図ることができる。また、プリンタの台数をＰＯＳ端末の台数より少なくすることによりシステム設定コストのさらなる低減を図ることができる。その上で、各店員が目的のレシートを間違えることなく確実に受け取ることができる。
【００４０】
なお、上記説明した処理及び制御の手順は全てソフトウェアによって実行することが可能である。このため、上記処理及び制御の手順を実行するプログラムを格納したコンピュータ読み取り可能な記憶媒体を通じてこのプログラムを制御システム１００（例えばＰＯＳ端末）にインストールして実行するだけで、上記処理及び制御を容易に実現することができる。
【００４１】
例えば、制御システム１００（例えばＰＯＳ端末）が、コンピュータ読み取り可能な記憶媒体から上記プログラムを読み取り、記憶部２１４の記憶装置に読み取ったプログラムを記憶し、プログラムのインストールを完了することができる。或いは、制御システム１００（例えばＰＯＳ端末）が、上記プログラムをダウンロードし、記憶部２１４の記憶装置にダウンロードしたプログラムを記憶し、プログラムのインストールを完了することができる。これにより、制御システム１００は、インストールされた上記プログラムに基づき、上記処理及び制御を容易に実現することができる。
【００４２】
本発明のいくつかの実施形態を説明したがこれらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１００・・・・制御システム
１１０（１１０ａ、１１０ｂ、１１０ｃ）・・・・ＰＯＳ端末
１２０（１２０ａ、１２０ｂ、１２０ｃ）・・・・識別情報読み取り装置
１３０（１３０ａ、１３０ｂ、１３０ｃ）・・・・レシート発行装置
１４０（１４０ａ、１４０ｂ）・・・・識別情報記録媒体
１５０（１５０ａ、１５０ｂ）・・・・識別情報記録媒体
２１１・・・・制御部
２１２・・・・通信部
２１３・・・・ＰＯＳ端末無線通信部
２１４・・・・記憶部
２１５・・・・識別情報比較部
２１６・・・・入力部
２１７・・・・表示部
２２１・・・・読み取り装置制御部
２２２・・・・識別情報読み取り部
２２３・・・・読み取り装置無線通信部
２３１・・・・発行装置制御部
２３２・・・・レシート発行部
２３３・・・・発行装置無線通信部
３０１（３０１ａ、３０１ｂ、３０１ｃ）・・・・レジカウンター
３０２（３０２ａ、３０２ｂ、３０２ｃ）・・・・バーコードスキャナ
３０３（３０３ａ、３０３ｂ）・・・・レシートプリンタ
３０４（３０４ａ、３０４ｂ）・・・・バーコード
【図１】
2020126682.tif 000003
【図２】
2020126682.tif 000004
【図３Ａ】
2020126682.tif 000005
【図３Ｂ】
2020126682.tif 000006
【図４Ａ】
2020126682.tif 000007
【図４Ｂ】
2020126682.tif 000008
【図５Ａ】
2020126682.tif 000009
【図５Ｂ】
2020126682.tif 000010
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
受信したレシート印字情報を出力する第１及び第２の情報出力装置、前記第１及び第２の情報出力装置の台数より多い台数の複数の情報処理装置、及び前記複数の情報処理装置のそれぞれに対応付けられる識別情報読取装置を備えるシステムに適用される一台の情報処理装置であって、
前記第１の情報出力装置に貼り付けられた第１の識別情報を読み取り前記第１の識別情報を送信する、又は前記第２の情報出力装置に貼り付けられた第２の識別情報を読み取り前記第２の識別情報を送信する所定の識別情報読取装置から送信される前記第１又は第２の識別情報を受信する受信部と、
前記第１の識別情報を受信し前記第１の識別情報から前記第１の情報出力装置を選択する、又は前記第２の識別情報を受信し前記第２の識別情報から前記第２の情報出力装置を選択する選択部と、
選択された前記第１の情報出力装置に前記レシート印字情報を送信する、又は選択された前記第２の情報出力装置に前記レシート印字情報を送信する送信部と、
を備える情報処理装置。
【請求項２】
前記送信部は、商品情報に基づく精算処理を実行し、前記精算処理に基づく情報を含む前記レシート印字情報を無線通信により前記第１又は第２の情報出力装置へ送信する、請求項１の情報処理装置。
【手続補正３】
【補正対象書類名】明細書
【補正対象項目名】００４２
【補正方法】変更
【補正の内容】
【００４２】
本発明のいくつかの実施形態を説明したがこれらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
本願は、特願２０１９−０５７３２０を原出願とする分割出願３である。また、特願２０１９−０５７３２０は、特願２０１７−１９５２２３を原出願とする分割出願２である。また、特願２０１７−１９５２２３は、特願２０１５−１７４４７を原出願とする分割出願１である。分割出願３の分割直前の分割出願２の段落００４２には、分割出願２の出願当初の特許請求の範囲に記載された発明が付記されております。以下、分割出願３の分割直前の分割出願２の段落００４２に付記されていた発明を付記する。
［Ｃ１］
第１の識別情報を読み取り前記第１の識別情報を送信し、また、第２の識別情報を読み取り前記第２の識別情報を送信する識別情報読み取り装置と、
前記識別情報読み取り装置からの前記第１の識別情報を受信し、前記識別情報読み取り装置からの前記第２の識別情報を受信し、前記第２の識別情報に対応付けられた第１の情報出力装置を選択し、前記第１の識別情報に基づく出力情報を前記第１の情報出力装置へ送信する情報処理装置と、
前記情報処理装置からの前記出力情報を受信し、前記出力情報を出力する前記第１の情報出力装置と、
を備える情報出力制御システム。
［Ｃ２］
前記識別情報読み取り装置は、バーコードスキャナであり、商品を識別するための第１のバーコードから前記第１の識別情報を読み取り、前記第１の識別情報を無線通信により前記情報処理装置へ送信し、また、前記第１の情報出力装置を識別するための第２のバーコードから前記第２の識別情報を読み取り、前記第２の識別情報を無線通信により前記情報処理装置へ送信する［Ｃ１］の情報出力制御システム。
［Ｃ３］
前記情報処理装置は、前記第１の識別情報に対応付けられた商品情報に基づく精算処理を実行し、前記精算処理に基づくレシート発行情報を無線通信により前記第１の情報出力装置へ送信し、
前記第１の情報出力装置は、レシート発行装置であり、前記レシート発行情報に基づきレシートを発行する［Ｃ１］又は［Ｃ２］の情報出力制御システム。
［Ｃ４］
さらに、第３の識別情報に対応付けられた第２の情報出力装置を備え、
前記識別情報読み取り装置は、前記第１の識別情報を読み取り前記第１の識別情報を送信し、前記第３の識別情報を読み取り前記第３の識別情報を送信し、
前記情報処理装置は、前記識別情報読み取り装置からの前記第１の識別情報を受信し、前記識別情報読み取り装置からの前記第３の識別情報を受信し、前記第３の識別情報に対応付けられた前記第２の情報出力装置を選択し、前記第１の識別情報に基づく前記出力情報を前記第２の情報出力装置へ送信し、
前記第２の情報出力装置は、前記情報処理装置からの前記出力情報を受信し、前記出力情報を出力する［Ｃ１］乃至［Ｃ３］の何れか一つの情報出力制御システム。
［Ｃ５］
識別情報読み取り装置により読み取られた第１の識別情報を受信し、前記識別情報読み取り装置により読み取られた第２の識別情報を受信する受信手段と、
前記第２の識別情報に対応付けられた情報出力装置を選択する選択手段と、
前記第１の識別情報に基づく出力情報を前記情報出力装置へ送信する送信手段と、
を備える情報出力制御装置。